【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】  
【請求項１】  一般に平坦な半製品から折り畳み自在に組み立てられた耐力波形アセンブリであって、前記半製品は折り畳みの際の頂部及び底部のエンド及びサイドを有し、前記アセンブリは、
（ａ）第１頂部及び底部ジャッキパネルと第２頂部及び底部ジャッキパネルであって、前記頂部及び底部ジャッキパネルの各々が、半製品のそれぞれの頂部及び底部エンドに隣接している、前記第１頂部及び底部ジャッキパネルと第２頂部及び底部ジャッキパネル、
（ｂ）頂部及び底部ミドルパネルであって、前記頂部及び底部ミドルパネルの各々が、それぞれの頂部及び底部ジャッキパネルに隣接しかつそれらの間にある、前記頂部及び底部ミドルパネル、
（ｃ）隣接するジャッキ及びミドルパネルの各対のうちの少なくとも１つのパネルから延びるフラップ、
（ｄ）複数の頂部及び底部コラムであって、各コラムは隣接するそれぞれの頂部及び底部パネルの間にあり、前記各コラムはロックスロットを有し、前記頂部コラムは前記底部コラムに対して垂直な角度にて配置される、前記複数の頂部及び底部コラム、
を含み、
折り畳みの際に、隣接するパネルのうちの少なくとも１つのものから延びる隣接パネルの各対の前記フラップが、隣接パネルのうちのもう一方のものに係合し、前記頂部及び底部コラムが、前記それぞれの頂部及び底部パネルから一般に垂直な面内で延び、前記頂部及び底部コラムが、それぞれ頂部及び底部リブを形成し、前記各リブが、サイドエッジを備えるリブサイドと頂部リブパネルを有し、そして
前記頂部及び底部リブが、前記ロックスロットの位置にて互いに係合する、上記耐力波形アセンブリ。
【請求項２】  前記フラップの各々が、ヘッドエッジ、アングルサイドエッジおよび少なくとも１つのロックアセンブリにより形成され、そして
折り畳みの際に、前記リブは、隣接フラップの前記ロックアセンブリに係合する少なくとも１つのリブサイドのサイドエッジにより、直立した構成にて開放自在にロックされる、請求項１記載の波形アセンブリ。
【請求項３】  一般に平坦な半製品から折り畳み自在に組み立てられた耐力波形アセンブリであって、前記半製品は折り畳みの際の頂部及び底部のエンド及びサイドを有し、前記アセンブリは、
（ａ）第１頂部及び底部エッジパネルと第２頂部及び底部エッジパネルであって、前記頂部及び底部エッジパネルの各々が、半製品のそれぞれの頂部及び底部エンドに隣接している、前記第１頂部及び底部エッジパネルと第２頂部及び底部エッジパネル、
（ｂ）第１頂部及び底部ジャッキパネルと第２頂部及び底部ジャッキパネルであって、前記頂部及び底部ジャッキパネルの各々が、それぞれの頂部及び底部エッジパネルに隣接している、前記第１頂部及び底部ジャッキパネルと第２頂部及び底部ジャッキパネル、
（ｃ）頂部及び底部ミドルパネルであって、前記頂部及び底部ミドルパネルの各々が、それぞれの頂部及び底部ジャッキパネルに隣接しかつそれらの間にある、前記頂部及び底部ミドルパネル、
（ｄ）隣接するエッジ及びジャッキパネルの各対、及び隣接するジャッキ及びミドルパネルの各対のうちの少なくとも１つのパネルから延びるフラップ、
（ｅ）複数の頂部及び底部コラムであって、各コラムが、隣接するそれぞれの頂部及び底部パネルの間にあり、前記コラムの各々がロックスロットを有し、前記頂部コラムが前記底部コラムに対して垂直な角度にて配置される、前記複数の頂部及び底部コラム、
を含み、
折り畳みの際に、隣接パネルのうちの少なくとも１つから延びる隣接パネルの各対の前記フラップが、隣接パネルのうちのもう一方のものと係合し、前記頂部及び底部コラムが、前記それぞれの頂部及び底部パネルから一般に垂直面内にて延び、前記頂部及び底部コラムが、それぞれ頂部及び底部リブを形成し、前記リブの各々が、サイドエッジを備えるリブサイドと頂部リブパネルを有し、そして  前記頂部及び底部リブが、前記ロックスロットの位置にて互いに係合する、上記耐力波形アセンブリ。
【請求項４】  波形アセンブリが耐水コーティングでコーティングされる、請求項３記載の波形アセンブリ。
【請求項５】  半製品中の切り抜きにより互いに分離された頂部リブの各々に対して少なくとも２つの頂部リブ領域が存在し、半製品中の切り抜きにより互いに分離された底部リブの各々に対して少なくとも２つの底部リブ領域が存在する、請求項３記載の波形アセンブリ。
【請求項６】  リブの少なくとも１つのリブ領域が、隣接パネルのうちの少なくとも１つから延びる前記フラップにより同一リブのうちの他方のリブ領域からさらに分離される、請求項５記載の波形アセンブリ。
【請求項７】  前記頂部及び底部リブの前記リブ領域は、実質的に同一の幅である、請求項６記載の波形アセンブリ。
【請求項８】  隣接パネルのうちの少なくとも１つから延びる各フラップが、実質的に同じ形状であり、前記フラップの各々は、ヘッドエッジ、アングルサイドエッジ及び少なくとも１つのロックアセンブリにより形成され、そして
折り畳みの際に、前記リブは、隣接するフラップの前記ロックアセンブリに係合する少なくとも１つのリブサイドのサイドエッジにより直立構成にて開放自在にロックされる、請求項７記載の波形アセンブリ。
【請求項９】  前記フラップの各々の前記ロックアセンブリの各々が、前記ヘッドエッジから離れた各アングルサイドエッジにおいて形成されたロックタブと切り欠きを含み、
折り畳みの際に、前記ロックの各々の前記ロックタブが、リブの少なくとも１つのリブ領域の少なくとも１つのリブサイドのサイドエッジとスライド自在に接触し、前記サイドエッジを通り、前記サイドエッジが、前記フラップの前記ロックアセンブリの前記切り欠きにスライドして入る、請求項８記載の波形アセンブリ。
【請求項１０】  一般に平坦な頂部及び底部半製品から折り畳み自在に組み立てられた耐力波形アセンブリであって、前記頂部及び底部半製品はエンド及びサイドを有し、前記アセンブリは、
（ａ）第１頂部及び底部エッジパネルと第２頂部及び底部エッジパネルであって、前記エッジパネルの各々が、半製品のそれぞれのエンドに隣接し、前記エッジパネルの各々が、少なくとも１つのエッジフラップを有し、前記エッジフラップの各々が、半製品のそれぞれのエンドから内方向に向いている、前記第１頂部及び底部エッジパネルと第２頂部及び底部エッジパネル、
（ｂ）第１頂部及び底部ジャッキパネルと第２頂部及び底部ジャッキパネルであって、前記ジャッキパネルの各々が、それぞれのエッジパネルに隣接し、前記ジャッキパネルの各々が、少なくとも１つのジャッキフラップを有し、前記ジャッキフラップの各々が、それぞれのエッジパネルに隣接している、前記第１頂部及び底部ジャッキパネルと第２頂部及び底部ジャッキパネル、
（ｃ）頂部及び底部ミドルパネルであって、前記ミドルパネルの各々が、それぞれのジャッキパネルの間にあり、前記ミドルパネルの各々が、それぞれのジャッキパネル各々に隣接する少なくとも１つのミドルフラップを有する、前記頂部及び底部ミドルパネル、
（ｄ）複数の頂部及び底部コラムであって、各コラムが、隣接するそれぞれの頂部及び底部パネルの間にあり、前記コラムの各々がロックスロットを有し、前記頂部コラムが前記底部コラムに対して垂直な角度にて配置される、前記複数の頂部及び底部コラム、
を含み、
前記頂部及び底部コラムパネルの各々が、複数のコラムパネル領域を有し、前記コラムパネル領域の各々が、少なくとも１つの前記ロックスロットを有し、前記コラムパネル領域が、半製品中の切り抜きにより互いに分離され、
前記ジャッキフラップと前記ミドルフラップの各々が、ヘッドエッジ、アングルサイドエッジ及び少なくとも１つのロックアセンブリにより形成され、
折り畳みの際に、前記ジャッキフラップが、それぞれのエッジパネルと係合し、前記ミドルフラップが、それぞれのジャッキパネルと係合し、前記頂部及び底部コラムが、前記それぞれの頂部及び底部パネルから一般に垂直面内にて延び、前記頂部及び底部コラムが、頂部及び底部リブをそれぞれ形成し、前記リブの各々が、サイドエッジを備えるリブサイドと頂部リブパネルを有し、
前記プラップが、第１固定手段によりそれぞれのパネルに固定され、
前記頂部及び底部リブが、前記ロックスロットの位置にて互いに係合し、そして
前記頂部及び底部リブが、第２固定手段により互いに固定される、上記耐力波形アセンブリ。
【請求項１１】  波形アセンブリが耐水コーティングでコーティングされる
、請求項１０記載の波形アセンブリ。
【請求項１２】  前記ジャッキ及びミドルフラップの前記ロックアセンブリの各々が、前記ヘッドエッジから離れた各アングルサイドエッジにおいて形成されたロックタブと切欠きを含み、
折り畳みの際に、前記ジャッキ及びミドルフラップの前記ロックタブが、前記リブ領域の各々の少なくとも１つのリブサイドのサイドエッジにスライド自在に接触し、前記サイドエッジを通り、前記エッジが前記ジャッキ及びミドルフラップの前記ロックアセンブリの前記切欠きにスライドして入る、請求項１０記載の波形アセンブリ。
【請求項１３】  エンド及びサイドを有する少なくとも１つの一般に平坦な半製品から折り畳み自在に組み立てられた耐力波形アセンブリを製造する方法であって、前記半製品は、第１頂部及び底部エッジパネルと第２頂部及び底部エッジパネルをさらに含み、前記エッジパネルの各々が、半製品のそれぞれのエンド、第１頂部及び底部ジャッキパネル及び第２頂部及び底部ジャッキパネルに隣接し、前記ジャッキパネルの各々が、それぞれのエッジパネルに隣接し、前記ジャッキパネルの各々が、少なくとも１つのジャッキフラップを有し、前記ジャッキフラップの各々が、それぞれのエッジパネル、頂部及び底部ミドルパネルに隣接し、前記ミドルパネルの各々が、それぞれのジャッキパネルの間にあり、前記ミドルパネルの各々が、それぞれのジャッキパネルの各々に隣接した少なくとも１つのミドルフラップを有し、前記ジャッキフラップと前記ミドルフラップの各々が、ヘッドエッジ、アングルサイドエッジ及び少なくとも１つのロックアセンブリにより形成され、そして複数の頂部及び底部コラムの各コラムは、隣接する頂部及び底部パネルの各々の間にあり、その各コラムは、隣接するそれぞれの頂部及び底部パネルの間にあり、前記コラムの各々が、ロックスロットを有し、前記頂部コラムが、前記底部コラムに垂直な角度にて配置される上記方法において、（ａ）前記ジャッキフラップをそれぞれのエッジパネルと係合させ、前記ミドルフラップをそれぞれのジャッキパネルと係合させ、前記頂部及び底部コラムは、前記それぞれの頂部及び底部パネルから一般に垂直面内にて延び、前記リブの各々は、少なくとも１つの半製品における切り抜きにより互いに分離された少なくとも２つのリブ領域を形成し、前記リブ領域は、サイドエッジを備えるリブサイドと頂部リブパネルを有し、
（ｂ）隣接フラップの前記ロックアセンブリに係合する少なくとも１つのリブサイドのサイドエッジにより、前記リブ領域を直立構成にて開放自在にロックさせ、そして
（ｃ）前記底部リブ領域の上に前記頂部リブ領域を配置し、その際に前記頂部及び底部リブ領域が、前記ロックスロットの位置にて互いに係合する、上記方法。
【請求項１４】  前記ロックアセンブリの各々が、前記ヘッドエッジから離れた各アングルサイドエッジにおいて形成されたロックタブと切欠きを含み、また、前記リブ領域を解放自在にロックする工程（ｂ）は、前記ロックアセンブリの各々の前記ロックタブが、リブの少なくとも１つのリブ領域の少なくとも１つのリブサイドのサイドエッジにスライド自在に接触して、前記サイドエッジを通り、前記サイドエッジが、前記ジャッキ及びミドルフラップの前記ロックアセンブリの前記切欠きにスライドして入るように、前記リブ領域を折り畳むことをさらに含む、請求項１３記載の方法。
【請求項１５】  半製品の平坦なコラムから折り畳み自在に組み立てられた上方に延びるリブの方向をロックするためのロックアセンブリであって、前記ロックアセンブリは、平坦なコラムの両側に第１及び第２パネルと前記第１又は第２パネルの１つから延びるフラップを含み、前記フラップが、ロックタブと切欠きを伴い、前記第１及び第２パネルを互いの方向に折り畳む際に、コラムが、折り畳まれて上方に延びるリブとなり、該リブは、サイドエッジを備えるリブサイドを有し、また、前記フラップの前記ロックタブが、１つのリブサイドのサイドエッジにスライド自在に接触し、次に前記サイドエッジを通過し、すぐに前記エッジが、前記フラップの前記ロックアセンブリの前記切欠きにスライドして入る、上記ロックアセンブリ。